(57)【要約】  【課題】  大きさの異なる電球であっても交換作業を行うことができ、しかも、簡単な構成の電球交換器具を提供する。  【解決手段】  支持体１１の先端側に電球保持機構１３が設けられると共に後端部に把持部１５が設けられてなり、電球保持機構１３が、支持体１１の先端側に固定された固定基部１７と、支持体１１に対して放射方向に揺動するように固定基部１７に枢支された複数の電球挟持片２１と、各電球挟持片２１の先端側に設けられて相互間で電球を弾性により挟持可能な弾性挟持部２２と、支持体１１にスライド及び固定可能に配置されたスライド部材２３と、スライド部材２３と電球挟持片２１の後端側との間を連結する連結リンク２５とを備え、複数の電球挟持片２１の開度をスライド部材２３の位置に対応させて調整できるようにした。【選択図】  図１
2006339082.tif 000002
【特許請求の範囲】
【請求項１】
支持体の先端側に電球保持機構が設けられると共に後端部に把持部が設けられた電球交換器具において、
電球保持機構が、支持体の先端側に固定された固定基部と、支持体に対して放射方向に揺動するように固定基部に枢支された複数の電球挟持片と、各電球挟持片の先端側に設けられて相互間で電球を弾性により挟持可能な弾性挟持部と、支持体にスライド及び固定可能に配置されたスライド部材と、スライド部材と電球挟持片の後端側との間を連結する連結リンクとを備え、複数の電球挟持片の開度をスライド部材の位置に対応させたことを特徴とする電球交換器具。
【請求項２】
電球の下端側を支持する電球下部支持部が、支持体に沿う方向に伸縮可能に装着されていることを特徴とする請求項１に記載の電球交換器具。
【請求項３】
複数の弾性挟持部間の最小間隙が電球支持部より狭く、且つ、複数の弾性挟持部間の最大間隙が枢支部位間の距離より広いことを特徴とする請求項２に記載の電球交換器具。
【請求項４】
電球下部支持部の支持体に沿う方向の位置を示す位置表示部を設けたことを特徴とする請求項２又は３に記載の電球交換器具。
【請求項５】
電球挟持片が、固定基部に支持された実質的に弾性変形不能な電球挟持片本体を備え、弾性挟持部が、先端側に突出するように電球挟持片本体に固定された弾性線材からなることを特徴とする請求項１乃至は４の何れか一つに記載の電球交換具。
【発明の詳細な説明】
【技術分野】
【０００１】
この発明は、高所に設置された照明設備等の電球を下方から交換するための電球交換器具の改良に関する。
【背景技術】
【０００２】
高所に設置された照明設備等の電球を交換する道具として、長尺の支持体の先端側に電球を保持するための電球保持機構を設けた電球交換器具が知られている。この電球交換器具によれば、照明器具の下方から作業者が後端側を操作し、先端側の電球保持機構に交換対象の電球を保持して回動させることにより、電球を取外したり、装着することができる。
【０００３】
電球保持機構として、筒体の内表面を弾性体により構成し、筒体に電球を嵌合することにより、弾性体の弾性で電球を回動可能に保持できるようにしたものが多数知られている。しかし、このようなものでは交換対象の電球の大きさが異なる場合、内面形状の異なる別の筒体や、そのような筒体を有する別の電球保持機構を用いなければならなかった。
【０００４】
そのため、下記特許文献１では、複数の弾性片からなる電球握持部と、支持体の外側に同心状に配置されるスライド棒と、スライド棒の先端に設けられた漏斗状の押圧部とを備えた電球交換器具が提案されている。この電球交換器具では、電球握持部内に電球を配置し、スライド棒をスライドさせて押圧部により電球握持部を収縮させることにより、電球を保持する。ここでは、電球握持部の開閉動作を大きくすれば、大きさの異なる電球であっても同一の電球交換器具を用いて交換作業を行うことが可能である。
しかし、ここでは電球握持部により電球を回動可能に保持した状態を維持するには、作業者がスライド棒を押圧した状態で維持しなければならず、交換作業に手間を要した。
【０００５】
特許文献２には、支持体にアーム枢支部を設けて複数のアームを途中位置で枢支し、アームの上部を上下動可能に配置された電球受け部と連結リンクにより連結すると共に電球受け部を第２バネ部材でアーム上部を広げる方向に付勢し、且つ、アームの下部側をスライド可能に配置されたガイド部材と接するように配置すると共にガイド部材を第１バネ部材でアーム下部を広げる方向に付勢した電球交換器具が提案されている。
【０００６】
この電球交換器具では、第２バネ部材により電球受け部を付勢してアーム上部を開いた状態にしておき、電球受け部を電球の下部に押し付けて電球受け部を下降させ、連結リンクで連結されたアーム上部を閉じることにより電球を挟持することができる。また、第１バネ部材によりガイド部材を上昇させて、アーム下部を付勢することにより電球をアーム上部で挟持した状態のまま維持することができる。
ここでは、第２バネ部材により電球受け部及び電球受け部を付勢することで、大きさの異なる電球であってもアーム上部により挟持できるようにしており、また、第１バネ部材の付勢力や第２バネ部材の付勢力などを調整することで、電球を挟持した状態で維持できるようにしている。
【特許文献１】特開平７−１４５５９号公報
【特許文献２】特開２００３−２７２５６８号公報
【発明の開示】
【発明が解決しようとする課題】
【０００７】
しかしながら、異なる外形の電球であっても同一の器具で交換作業を行える電球交換器具では、特許文献２のような電球交換器具では、大きさの異なる電球を同一の電球交換器具により交換可能にするために、複数のバネ部材を用い、更に、付性力を調整しなければならないなど、構成が複雑になり易かった。
そこで、本発明は、大きさの異なる電球であっても交換作業を行うことができ、しかも、簡単な構成の電球交換器具を提供することを課題とする。
【課題を解決するための手段】
【０００８】
本発明の請求項１は、支持体の先端側に電球保持機構が設けられると共に後端部に把持部が設けられた電球交換器具において、電球保持機構が、支持体の先端側に固定された固定基部と、支持体に対して放射方向に揺動するように固定基部に枢支された複数の電球挟持片と、各電球挟持片の先端側に設けられて相互間で電球を弾性により挟持可能な弾性挟持部と、支持体にスライド及び固定可能に配置されたスライド部材と、スライド部材と電球挟持片の後端側との間を連結する連結リンクとを備え、複数の電球挟持片の開度をスライド部材の位置に対応させたことを特徴とする。
【０００９】
請求項２に記載の発明は、電球の下端側を支持する電球下部支持部が、支持体に沿う方向に伸縮可能に装着されていることを特徴とする。
【００１０】
請求項３に記載の発明は、複数の弾性挟持部間の最小間隙が電球支持部より狭く、且つ、複数の弾性挟持部間の最大間隙が枢支部位間の距離より広いことを特徴とする。
【００１１】
請求項４に記載の発明は、電球下部支持部の支持体に沿う方向の位置を示す位置表示部を設けたことを特徴とする。
【００１２】
請求項５に記載の発明は、電球挟持片が、固定基部に支持された実質的に弾性変形不能な電球挟持片本体を備え、弾性挟持部が、先端側に突出するように電球挟持片本体に固定された弾性線材からなることを特徴とする。
【発明の効果】
【００１３】
請求項１に記載の電球交換器具によれば、固定基部に枢支された電球挟持片の後端側と支持体にスライド及び固定可能に配置されたスライド部材とを連結リンクにより連結したので、スライド部材を支持体に沿ってスライドさせて固定することにより、複数の電球挟持片の開度をスライド部材の位置に応じて調整することができ、複数の電球挟持片の開度を交換対象の電球に対応した開度にして、電球を弾性挟持部間に挿入すれば、弾性挟持部の弾性により電球を適度な力で挟持することができる。そのため、異なる大きさの電球であっても、スライド部材の位置を調整するだけで交換作業を行うことができ、しかも、弾性挟持部自体の弾性で電球を挟持するため、異なる大きさの電球であっても適度な力で電球を挟持することができ、電球挟持片の動作を確保するためにバネなどの付勢部材を用いる必要がなく、電球交換器具の構成を簡単にし易い。
【００１４】
請求項２に記載の発明によれば、電球の下端側を支持する電球下部支持部が、支持体に沿う方向に伸縮可能に装着されているので、電球下部支持部の位置を交換対象の電球に応じて調整すれば、交換作業の際、電球の下端側に電球下部支持部を当接させた状態で電球を弾性挟持部間に挟持することができる。そのため、電球に対して適切な位置に弾性挟持部を配置して電球を適切な力で挟持し易く、また、弾性挟持部と電球下部支持部とにより電球を回転させるため回転させ易く、交換作業を容易にできる。
【００１５】
請求項３に記載の発明によれば、複数の弾性挟持部間の最小間隙が電球支持部より狭く、且つ、複数の弾性挟持部間の最大間隙が枢支部位間の距離より広いので、スライド部材及び電球下部支持部の位置の調整により、弾性挟持部間の間隙を出来るだけ狭くして電球下部支持部を弾性挟持部に近接させれば、より小さな電球であっても確実に挟持することができ、一方、弾性挟持部間の間隙を出来るだけ広げて電球下部支持部を弾性挟持部から離間させれば、より大きな電球であっても確実に挟持することができる。そのため、同一の電球交換器具により交換可能な電球の大きさの範囲をより広げることができる。
【００１６】
請求項４に記載の発明によれば、電球下部支持部の位置を示す位置表示部を設けたので、交換作業の前に電球下部支持部の位置を交換対象の電球に応じて予め調整しておくことが容易であり、使い勝手がよい。
【００１７】
請求項５に記載の発明によれば、電球挟持片が、固定基部に支持された実質的に弾性変形不能な電球挟持片本体を備え、弾性挟持部が、先端側に突出するように電球挟持片本体に固定された弾性線材からなるので、電球挟持片の開度に関わらず、常に安定した弾性挟持部の弾性力を得易く、異なる大きさの電球であっても適切な力で電球を挟持させ易い。
【発明を実施するための最良の形態】
【００１８】
以下、この発明の実施の形態について説明する。
図１及び図２は、この実施の形態の電球交換器具を示す。
この電球交換器具１０は、長尺の軽量金属パイプからなる支持体としての支持棒１１と、この支持棒１１の先端側に設けられた電球保持機構としての電球保持装置１３と、後端側に設けられた把持部としての把手１５とを備えている。
【００１９】
電球保持装置１３は、支持棒１１の先端に固定された固定基部としてのアーム固定部１７と、このアーム固定部１７に枢支された電球挟持片としての一対の揺動アーム２１と、アーム固定部１７の後端側近傍の支持棒１１に装着されたスライド部材としての開度調整筒体２３と、この開度調節筒体２３と一対の揺動アーム２１の各後端側とを連結する連結リンク２５と、アーム固定部１７の先端側に装着された電球下部支持部としての伸縮ボス部材２７とを有する。
【００２０】
アーム固定部１７は、断面略コ字状に板金成形されて支持棒１１の先端に軸線Ｌ方向から組合わせ、リベット１６により固定されており、軸線Lと直交する両側に突出している。
揺動アーム２１は、アーム固定部１７の両側端に、軸線Ｌを挟んで略１８０°となる位置に対向するように一対配置され、それぞれ中間の揺動部位で揺動支点ピン１９によりアーム固定部１７に枢支され、軸線Lに対して放射方向に揺動可能となっている。
【００２１】
各揺動アーム２１は、アーム固定部１７に枢支されて実質的に使用時に弾性変形しない板金成形体からなる揺動アーム本体２１ａと、揺動アーム本体２１ａより弾性変形し易い金属線材からる弾性挟持部としての挟持フック２２とからなっている。
【００２２】
この挟持フック２２は、金属線材を略Ｕ字状に折り曲げて成形され、両端側がそれぞれアーム固定部１７及び揺動アーム本体２１ａから突出した状態で、揺動アーム本体２１ａの内側にプレート２２ａ及びビス２２ｂにより固定されている。各挟持フック２２は軸線Lに沿って内向きに配置され、挟持フック２２の各先端近傍の電球と接触する部位には、ゴム、樹脂等の金属線材より軟質の材料からなるクッション材２２ｃが装着されている。
【００２３】
この実施の形態では、各揺動アーム２１の挟持フック２２は軸線Ｌを中心にして対象に配置されており、また、同一の揺動アーム本体２１ａに配置された挟持フック２２が、図１に示す正面視において軸線Ｌから同一位置に配置され、且つ、図２に示す側面視において軸線Ｌを挟んで左右対称に配置されている。
一方、揺動アーム２１の揺動支点ピン１９より後端側には、支点ピン２５ａにより連結リンク２５が回動自在に連結されている。
【００２４】
開度調整筒体２３は、筒状に形成されて支持棒１１に軸線Ｌ方向にスライド可能に嵌合されており、一対の揺動アーム２１の後端側に連結された各連結リンク２５が、共通の支持ピン２５ｂにより回動自在に連結されている。
アーム固定部１７付近の支持棒１１には、開度調整筒体２３を位置合わせするための表示部としての目盛１１ａが設けられており、開度調整筒体２３をスライドさせて、目盛１１ａに端部等を合わせることにより、連結リンク２５を介して、揺動アーム２１を所望の開度に調整することができるように構成されている。
更に、この開度調整筒体２３には、支持棒１１上の任意の位置に固定可能にするための蝶螺子２４が装着されており、開度調整筒体２３を位置合わせした状態で固定できるようになっている。
【００２５】
この開度調整筒体２３と揺動アーム２１とを連結する連結リンク２５では、その長さ、例えば支点ピン２５ａと支点ピン２５ｂの長さが、軸線Ｌから揺動支点ピン１９の支持軸Ｌからの水平距離より長く設けられており、開度調整筒体２３の移動により、一対の揺動アーム２１を軸線Ｌに対して正負何れにも傾斜させることができるようになっている。この実施形態では、挟持フック２２間の最小間隙が当接ボス４１より狭く、且つ、挟持フック２２間の最大間隙が揺動支点ピン１９間の距離より広くなるように設定されている。
【００２６】
伸縮ボス部材２７は、アーム固定部１７及び支持棒１１の先端に軸線Ｌを中心として配置されており、軸線Ｌに沿う方向にスライドして伸縮するように装着された伸縮ロッド３９と、この伸縮ロッド３９の先端に固定された当接ボス４１とを有している。
伸縮ロッド３９は後端側がアーム固定部１７及び支持棒１１に収容されており、アーム固定部１７及び支持棒１１に設けられた固定螺子３８により固定可能になっている。
当接ボス４１には、曲面形状の電球の最下端が接触し難くするための凹部４２が先端に形成されており、当接ボス４１の先端となる凹部４２の周囲には、当接ボス４１より軟質のゴム等のクッション材からなるクッションリング４３が、電球の下端側の適度な範囲に接触可能に固定されている。
【００２７】
この当接ボス４１の一方の側面側には、当接ボス４１から軸線Ｌに沿う後端側に向けて延びる位置表示部としての目盛板４４が固定されている。この目盛板４４には長手方向に長孔４５が形成されており、伸縮ロッド３９を固定する固定螺子３８がこの長孔４５を貫通して配置されることで、目盛板４４の下端側が支持されている。
【００２８】
この目盛板４４は、伸縮ボス部材２７をスライドさせると、当接ボス４１と共に移動し、アーム固定部１７の先端等に対応させることで、当接ボス４１の先端の支持棒１１に沿う方向の位置を示すことができるようになっている。
【００２９】
以上のような電球交換器具１０を用いて、高所の照明設備に装着されている電球の交換作業を行うには次のようにする。
【００３０】
図３に示すように、まず、一対の揺動アーム２１の開度を予め調整する。ここでは、蝶螺子２４を緩めた状態で、開度調整筒体２３を支持棒１１に沿ってスライドさせることにより、各揺動アーム２１の挟持フック２２間の間隔を交換対象の電球Ｒの大きさに合わせる。このとき、挟持フック２２の弾性によりガラス球ｒ１を挟持して、ソケットｒ２を回動し易くできる程度にする。この実施の形態では、支持棒１１に設けられた目盛り１１ａの該当位置に開度調整筒体２３の端部を合わせることにより行うことができる。この状態で、蝶螺子２４を締め込み、開度調整筒体２３を支持棒１１に対して固定する。
【００３１】
また、伸縮ボス部材２７の位置を予め調整する。ここでは、固定螺子３８を緩めた状態で、伸縮ロッド３９をアーム固定部１７から伸縮させることにより、当接ボス４１の挟持フック２２に対する位置を交換対象の電球Ｒの大きさに合わせる。このとき、クッションリング４３がガラス球ｒ１に密着してソケットｒ２を回動し易くできる程度にする。
この実施の形態では、当接ボス４１に固定された目盛板４４の該当位置をアーム固定部１７の端部に合わせることにより行うことができる。この状態で、固定螺子３８を締め込み、伸縮ボス部材２７を支持棒１１及びアーム固定部１７に対して固定する。
【００３２】
揺動アーム２１の開度及び伸縮ボス部材２７の位置の調整を行った後、高所の照明設備の下方から、把手１５を支持して電球保持装置１３を電球Ｒに近接させて、揺動アーム２１の挟持フック２２間に電球Ｒのガラス球ｒ１を挿入し、ガラス球ｒ１の下端部に伸縮ボス部材２７を当接させる。これにより、挟持フック２２間でガラス球ｒ１を挟持すると共に、当接ボス４１のクッションリング４３を密着させる。
この状態で、支持棒１１を軸線Ｌを中心に回転させることにより、ガラス球ｒ１を挟持フック２２のクッション材２２ｃや当接ボス４１のクッションリング４３の摩擦力等により回転させて、ソケットｒ２を照明設備から離脱させる。
その後、電球Ｒが挟持フック２２間に挟持された状態で維持されるため、電球保持装置１３を電球交換器具１０と共に下降させ、電球Ｒの取り外しを終了する。
【００３３】
次に、新たな電球Ｒを上方の照明設備に装着するには、取り外しと逆の操作を行う。
まず、電球Ｒを挟持フック２２間に挟持させ、把手１５を支持して電球保持装置１３を上方の照明設備に近接させ、電球Ｒのソケットｒ２を所定の取付位置に当接させ、上方に押しつけつつ、支持棒１１を回転させる。これにより、挟持フック２２間でガラス球ｒ１を挟持すると共に、ガラス球ｒ１に当接ボス４１のクッションリング４３を密着させた状態で電球保持装置１３を回転させ、照明設備にソケットｒ２を螺子込む。これにより、新たな電球Ｒが照明設備に装着される。
その後、電球保持装置１３を下降させて、挟持フック２２を電球Ｒから離脱させることにより、交換作業を終了する。
【００３４】
なお、この電球交換器具１０では、極めて小型の電球Ｒｍの交換作業を行う場合であっても、以上と全く同様にして行うことができる。
この場合、図４に示すように、揺動アーム２１の開度及び伸縮ボス部２７の位置を、電球Ｒｍに対応した位置に予め合わせればよい。ここでは、電球Ｒｍのガラス球ｒ３の水平断面における形状が当接ボス４１と略同等程度以下に小さいため、連結リンク２５をより軸線Ｌに直交する方向に近づけることにより、挟持フック２２間の間隙を当接ボス４１より狭くすると共に、伸縮ロッド３９をアーム固定部１７から伸ばして当接ボス４１の頂部を挟持フック２２の先端に近接させている。
【００３５】
以上のような電球交換器具１０によれば、アーム固定部１７に枢支された揺動アーム２１の後端側と支持棒１１にスライド及び固定可能に配置された開度調整筒体２３とを連結リンク２５により連結したので、開度調整筒体２３を支持棒１１に沿ってスライドさせて固定することにより、一対の揺動アーム２１の開度を開度調整筒体２３の位置に応じて調整することができ、一対の揺動アーム２１の開度を交換対象の電球Ｒ、Ｒｍに対応した開度にして、電球Ｒ、Ｒｍを挟持フック２２間に挿入すれば、挟持フック２２の弾性により電球Ｒ、Ｒｍを適度な力で挟持することができる。
そのため、異なる大きさの電球Ｒ、Ｒｍであっても、開度調整筒体２３の位置を調整するだけで交換作業を行うことができ、しかも、挟持フック２２自体の弾性で電球Ｒ、Ｒｍを挟持するため、異なる大きさの電球Ｒ、Ｒｍであっても適度な力で電球を挟持することができ、揺動アーム２１の動作を確保するためにバネなどの付勢部材を用いる必要がなく、電球交換器具１０の構成を簡単にし易い。
【００３６】
この電球交換器具１０では、電球Ｒ、Ｒｍの下端側を支持する伸縮ボス部材２７が、支持棒１１に沿う方向に伸縮可能に装着されているので、伸縮ボス部材２７の位置を交換対象の電球Ｒ、Ｒｍに応じて調整すれば、交換作業の際、電球Ｒ、Ｒｍの下端側に伸縮ボス部材２７の当接ボス４１を当接させた状態で電球Ｒ、Ｒｍを挟持フック２２間に挟持することができる。
そのため、電球Ｒ、Ｒｍに対して適切な位置に挟持フック２２を配置して電球Ｒ、Ｒｍを適切な力で挟持し易く、また、挟持フック２２と伸縮ボス部材２７とにより電球Ｒ、Ｒｍを回転させるため、回転させ易く、交換作業を容易にできる。
【００３７】
伸縮ボス部材２７を設けている場合において、一対の揺動アーム２１の挟持フック２２間の最小間隙が当接ボス４１より狭く、且つ、一対の挟持フック２２間の最大間隙がアーム固定部１７の支点ピン２５ａが配置された枢支部位間の距離より広いので、開度調整筒体２３及び伸縮ボス部材２７の位置の調整により、挟持フック２２間の間隙を出来るだけ狭くして伸縮ボス部材２７の当接ボス４１を挟持フック２２のクッション材２２ｃに近接させれば、より小さな電球Ｒｍであっても確実に挟持することができ、一方、挟持フック２２間の間隙を出来るだけ広げて伸縮ボス部材２７を挟持フック２２から離間させれば、より大きな電球Ｒであっても確実に挟持することができる。そのため、同一の電球交換器具１０により交換可能な電球Ｒ、Ｒｍの大きさの範囲をより広げることができる。
【００３８】
この伸縮ボス部材２７の位置を示す目盛板４４を設けたので、交換作業前に伸縮ボス部材２７の位置を交換対象の電球Ｒ、Ｒｍに応じて予め調整しておくことが容易であり、使い勝手がよい。
【００３９】
揺動アーム２１が、アーム固定部１７に支持された実質的に弾性変形不能な揺動アーム本体２１ａを備え、挟持フック２２が、先端側に突出するように揺動アーム本体２１ａに固定された弾性線材からなるので、揺動アーム２１の開度に関わらず、常に安定した挟持フック２２の弾性力を得易く、異なる大きさの電球Ｒ、Ｒｍであっても適切な力で電球Ｒ、Ｒｍを挟持させ易い。
【図面の簡単な説明】
【００４０】
【図１】この発明の実施の形態の電球交換器具の正面図である。
【図２】同実施の形態の電球交換器具の電球保持装置の一部を断面で示す側面図である。
【図３】同実施の形態の電球交換器具の電球保持装置により電球を挟持した状態を示す図である。
【図４】同実施の形態の電球交換器具の電球保持装置により小型の電球を挟持した状態を示す図である。
【符号の説明】
【００４１】
１０        電球交換器具
１１        支持棒
１３        電球保持装置
１５        把手
１７        アーム固定部
１９        揺動支点ピン
２１        揺動アーム
２１ａ      揺動アーム本体
２２        挟持フック
２３        開度調整筒体
２５        連結リンク
２７        伸縮ボス部材
４１        当接ボス
Ｒ、Ｒｍ    電球
ｒ１        ガラス球
ｒ２        ソケット
【図１】
2006339082.tif 000003
【図２】
2006339082.tif 000004
【図３】
2006339082.tif 000005
【図４】
2006339082.tif 000006